(57)【要約】      （修正有）【課題】１ｍｍ程度の薄型基板間接続コネクタを創り出すこと。【解決手段】一枚の合成樹脂製薄型基板２に所要数の導電性金属からなる端子が互いに平行になるように縦方向に列設し、基板適所に端子３に平行に縦方向に移動するとき嵌合する嵌合溝を設けたプラグ５と、同じく一枚の合成樹脂製薄型基板に、プラグ側と同数の弾性金属板からなる片持ち式端子１２を、縦方向に向け且つプラグ側に張出すように列設するとともに、この基板の適所に縦方向に張出すフック付き係止片を設けたレセプタクル９とからなる。プラグの基板裏面の嵌合側には、列設端子が多数の畝状突起間の溝の底部に、外面に対して露出するように中刳り状態となっている。片持ち式端子は、基板の前後側の枠体から、同数の端子が互いに向かい合って張出すように、非連続状態で列設されている。また、プラグ側基板内刳り部分に端子に平行に移動するとき嵌合する嵌合溝を設ける。【選択図】        図１
2004158323.tif 000002
【特許請求の範囲】
【請求項１】
一枚の合成樹脂製薄型基板に所要数の導電性金属からなる端子が互いに平行になるように縦方向に列設し、基板適所に端子に平行に縦方向に移動するとき嵌合する嵌合溝を設けたプラグと、同じく一枚の合成樹脂製薄型基板にプラグ側と同数の弾性金属板からなる片持ち式端子を、縦方向に向け且つプラグ側に張出すように列設するとともに、この基板適所に縦方向に張出すフック付き係止片を設けたレセプタクルとを備え、プラグとレセプタクルとを嵌合させた時両者の各端子が接続し、更にプラグを縦方向にスライドさせた時に、プラグ側の嵌合溝にレセプタクル側の係止片が嵌合係止される、基板間接続コネクタ。
【請求項２】
プラグの嵌合側には前記列設端子が設けた多数の畝状突起間溝の底部に、外面に対して露出するように中刳り状態となっていることを特徴とする、請求項１に記載の基板間接続コネクタ。
【請求項３】
レセプタクルの片持ち式端子は、基板の両側の枠体から、同数の端子が互いに向かい合って張出すように、且つ両者は非連続状態で列設されていることを特徴とする、請求項１又は２に記載の基板間接続コネクタ。
【請求項４】
プラグ側基板内刳り部分に端子に平行に移動するとき嵌合する嵌合溝を設けるとともに、レセプタクル側基板適所に同方向（縦方向）に張出すフック付き係止片を設けた、請求項１乃至３の内１項に記載の基板間接続コネクタ。
【発明の詳細な説明】
【０００１】
【発明の属する技術分野】
この発明は、電子機器や電気機器において、基板間が１ｍｍ前後の超薄型プラグ及びレセプタクルの基板間接続コネクタに関する。
【０００２】
【従来の技術】
従来、電子機器の基板間接続コネクタは、プラグ側から先端にフックを設けたＬ字又はコ字状端子が嵌合方向に垂直に伸びて、相対するレセプタクルのフック付き端子と嵌合する嵌合部と結線部とが設けられていた。この構成は各端子が嵌合する際、相手側のフック隆起部を乗り切るために、ばね性を有し、カンチレバー式に弾性変形して嵌合、接続されるようになっている。また近年、薄型の基板間接続コネクタにおいては、例えば特開平５−２７５１４７号公報や特開平１１−３２９６３６号公報に記載のコネクタのように、端子部はコンタクトと圧接して、電気的接続を保つと共に、基板間の接続は、基板自体又は他の要素によって互いに内側垂直方向に伸びる突条及び係合用穴又は溝穴によって、基板間に強固な嵌合を行っている。
【０００３】
【先行技術文献】
【文献１】特開平５−２７５１４７号公報
【文献２】特開平１１−３２９６３６号公報
【０００４】
【発明が解決しようとする課題】
しかしながら、上述のような基板間接続コネクタのような構造で、基板間を１ｍｍ前後の超薄型プラグ及びレセプタクルにしようとすると、端子は非常に短くなり、互いにフック嵌合しようとしても、長さが短いために十分なばね性を備えることができず、塑性変形して再度の使用に耐えない不都合が生じていた。また、基板間の長さに応じて、片持ち端子のフックを小さくすれば、嵌合後の接続維持が不十分で、また接合部分が汚れにより接触不良になったり、折れ曲がり、又は破損して、電気接続のトラブルの原因ともなっていた。このように、ある設計限界を超えると、コネクタの機械的、電気的機能はすぐに損なわれる。
【０００５】
【課題を解決するための手段】
この発明は上記のような欠点を除去し、超薄型にもかかわらず、機械的、電気的機能の安定した基板間接続コネクタを提供することを目的とする。このために、この発明の基板間接続コネクタは、一枚の合成樹脂製薄型基板に所要数の導電性金属からなる端子が互いに平行になるように縦方向に列設させ且つ、基板適所に端子に平行に縦方向に移動するとき嵌合する嵌合溝を設けたプラグと、同じく一枚の合成樹脂製薄型基板にプラグ側と同数の弾性金属板からなる片持ち式端子を、縦方向に向け且つプラグ側に縦方向に張出すように列設するとともに、この基板適所に縦方向に張出すフック付き係止片を設けたレセプタクルとを備え、プラグとレセプタクルとを嵌合させた時両者の各端子が接続し、更にプラグを縦方向にスライドさせた時に、プラグ側の嵌合溝にレセプタクル側の係止片が嵌合係止されるように構成する。
【０００６】
この発明の基板間接続コネクタは、プラグの嵌合側には前記列設端子が多数の畝状突起間溝の底部に、外面に対して露出するように中刳り状態となっているとともに、基板適所に、端子に平行に縦方向に移動するとき嵌合する嵌合溝が設けられている。また、レセプタクル側の片持ち式端子は、基板の両側の枠体から、同数の端子が互いに向かい合って張出すように、且つ両者は非連続状態で列設されている。
【０００７】
この発明の基板間接続コネクタは、端子及び係合部材が実質的に基板の内刳り部乃至中刳り部分内に納められているので、確実な電気接続及びプラグとレセプタクル間の確実な嵌合及び繰り返し使用を可能とし、両基板を重ね合わせても１ｍｍ前後の超薄型基板間接続コネクタが得られたものである。
【０００８】
【発明の実施態様】
図１及び図２に、この発明の基板間接続コネクタのプラグとレセプタクルとを嵌合させた状態の表面と裏面との見取り図を示し、図３及び図４にプラグの表面と裏面との見取り図を示し、また図５にはプラグの嵌合側に設けた多数の畝状突起間溝の間に導入され、露出しているプラグ側の各端子示す。さらに図６及び図７にレセプタクルの表面と裏面との見取り図を示し、図８に図７のＹ−Ｙ断面のレセプタクル側の片持ち式端子の先端の状態を示す。なお、この発明との比較のために、従来型の厚型プラグを図９乃至１１に示す。
【０００９】
この発明の基板間接続型コネクタ１は、一枚の合成樹脂製薄型基板２に所要数の導電性金属からなる端子３が互いに平行になるように縦方向に列設し、基板適所に端子に平行に縦方向に移動（移動方向矢印４）するとき、後述する係止片と嵌合する嵌合溝を設けたプラグ５と、同じく一枚の合成樹脂製薄型基板６にプラグ側と同数の弾性金属板からなる片持ち式端子７を、縦方向に向け且つプラグ側に張出すように列設するとともに、この基板６の適所に縦方向に張出すフック付き係止片８を設けたレセプタクル９とを備えている。
【００１０】
図４及び図５に示すように、コネクタ１のプラグ５の嵌合側には、列設端子３が多数の畝状突起１０間の溝１１の底部に、外面に対して露出するように中刳り状態となっている。
【００１１】
レセプタクル９の片持ち式端子１２は、基板の前後側の枠体から、同数の端子が互いに向かい合って張出すように、且つ両者は非連続状態で列設されている。また、プラグ５側基板内刳り部分に端子に平行に移動するとき嵌合する嵌合溝１３を設けるとともに、レセプタクル９側基板適所に同方向（縦方向）に張出すフック付き係止片８を設ける。
【００１２】
図６乃至８に示す通り、プラグ５とレセプタクル９とを重ね合わせ、レセプタクル側の片持ち式端子１２が、基板６の両側の枠体から、同数の端子が互いに向かい合って張出すようにし、このレセプタクル側の各端子１２がプラグ側の基板の嵌合側、すなはちプラグ側の基板に設けた多数の畝状突起１０間の溝の間に導入され、前記底部に露出しているプラグ側の各端子３表面に弾性をもって接続される。その後プラグ側基板をレセプタクル側基板に対して端子列に平行に移動させ、プラグ側の嵌合溝がレセプタクル側のフックに嵌合係止される時にも、レセプタクル側端子の先端に取付けられた湾曲形末端１４が、プラグ側の嵌合溝にレセプタクル側の係止片が嵌合係止されるので、レセプタクル側端子の先端に設けられた湾曲形末端１４が、プラグ側の溝底部の端子３表面に接続され、安定的な電気接続を実現する。またこの場合レセプタクル９の片持ち式端子はプラグ５を押し上げるように作用するが、他方、プラグ側の嵌合溝１３にレセプタクル側の係止片８が係合したときには、プラグの縦方向移動だけでなく、プラグとレセプタクルの離間も阻止するように構成されている。
【００１３】
【発明の効果】
この発明は以上のように構成したので、プラグとレセプタクルとを嵌合させ、レセプタクル側の片持ち式端子が、基板の枠体から、数の端子が片持ち式に張出すようにし、このレセプタクル側の端子がプラグ側の基板の嵌合側、すなはちプラグ側の嵌合側に設けた畝状突起間溝の間に導入され、前記底部に露出しているプラグ側の各端子表面に弾性をもって接続される。その後プラグ側基板をレセプタクル側基板に対して端子列に平行にすなはち縦方向に移動させ、プラグ側の嵌合溝にレセプタクル側のフック付き係止片が嵌合係止され、プラグとレセプタクルの嵌合を確実なものとする。
特に、レセプタクル側端子の先端に設けられた湾曲形末端が、プラグ側の畝状突起間溝底部の端子表面に接続され、この場合レセプタクルの片持ち式端子はプラグを押し上げるように作用するが、他方、プラグ側の嵌合溝にレセプタクル側の係止片が係合したときには、プラグの縦方向移動だけでなく、プラグとレセプタクルの離間も阻止するように構成されているのでプラグとレセプタクルとの接続は確実且つ安定したものとなる。
なおこれらの嵌合係止は比較的簡単な構成なので、強い力で逆方向に押すと、プラグとレセプタクルとは容易に外れ、繰り返しの使用に耐える。
【図面の簡単な説明】
【図１】この発明のコネクタのプラグとレセプタクルとを嵌合させた状態の、表面の見取り図である。
【図２】この発明のコネクタのプラグとレセプタクルとを嵌合させた状態の、裏面の見取り図である。
【図３】図１に示したコネクタのプラグの表面の見取り図を示す。
【図４】図１に示したコネクタのプラグの裏面の見取り図を示す。
【図５】図４のＸ−Ｘ線で破断した部分拡大断面図である。
【図６】図２に示したコネクタのレセプタクルの表面の見取り図を示す。
【図７】図２に示したコネクタのレセプタクルの裏面の見取り図を示す。
【図８】図７のＹ−Ｙ線で破断した部分拡大断面図である。
【図９】従来の厚型コネクタのプラグを示す断面図である。
【図１０】従来の厚型コネクタのレセプタクルを示す断面図である。
【図１１】両者が嵌合した状態の厚型コネクタを示す断面図である。
【符号の説明】
１    コネクタ
２    薄型基板
３    端子
４    移動方向
５    プラグ
６    薄型基板
７    端子
８  係止片
９  レセプタクル
１０  畝状突起
１１  溝
１２  片持ち式端子
１３  嵌合溝
１４  湾曲形末端
【図１】
2004158323.tif 000003
【図２】
2004158323.tif 000004
【図３】
2004158323.tif 000005
【図４】
2004158323.tif 000006
【図５】
2004158323.tif 000007
【図６】
2004158323.tif 000008
【図７】
2004158323.tif 000009
【図８】
2004158323.tif 000010
【図９】
2004158323.tif 000011
【図１０】
2004158323.tif 000012
【図１１】
2004158323.tif 000013